(57)【要約】【課題】   本発明は、導光体同士の境界部分の輝線を緩和して、面発光の均一性を向上させる照明装置を提供する。【解決手段】    照明装置１は、光源２と、前記光源２からの光の非入射側面を接触面３４として連設される複数の導光体３と、光の出射側に前記導光体３と対向して設けられる拡散板５と、前記導光体３と前記拡散板５との間に設けられる空気層６と、を備えてなる。また、前記接触面３４は、平滑に形成されてなる。また、前記接触面３４は、入射側面３１と対向し、前記光源２は、前記入射側面３４に光を入射してなる。【選択図】図２
2006235249.tif 000002
【特許請求の範囲】
【請求項１】
光源と、
前記光源からの光の非入射側面を接触面として連設される複数の導光体と、
光の出射側に前記導光体と対向して設けられる拡散板と、
前記導光体と前記拡散板との間に設けられる空気層と、
を備えてなることを特徴とする照明装置。
【請求項２】
前記接触面は、平滑に形成されてなることを特徴とする請求項１に記載の照明装置。
【請求項３】
前記接触面は、入射側面と対向し、
前記光源は、前記入射側面に光を入射してなることを特徴とする請求項１に記載の照明装置。
【発明の詳細な説明】
【技術分野】
【０００１】
本発明は、照明装置に関し、特に、商品陳列棚などに看板や広告板のバックライトとして用いられる面状照明装置の構造に関する。
【背景技術】
【０００２】
従来、照明装置は、特許文献１に開示されるように、光源と導光板と拡散板とによって構成される面状照明装置が知られている。このような照明装置は、製造コストを削減するために複数の導光体を嵌合させて共通の照明領域を構成することで、照明対象の種々の形状や大きさに対応できる構造が採用されている。  
【特許文献１】特開２００３−３０８７１８号公報
【発明の開示】
【発明が解決しようとする課題】
【０００３】
しかしながら、以上のような構成の照明装置は、導光体と導光体との嵌合部分にあたる接触面において、光源からの光が反射するため、他の照明領域に比べ明るく光ってしまう輝線が発生し、均一な面発光が得られないという問題があった。
【０００４】
そこで、本発明は、複数の導光体を組み合わせた構造の照明装置であっても、導光体同士の境界部分の輝線を緩和して、面発光の均一性を向上させる照明装置を提供することを目的とする。
【課題を解決するための手段】
【０００５】
本発明は、前述した課題を解決するため、光源と、前記光源からの光の非入射側面を接触面として連設される複数の導光体と、光の出射側に前記導光体と対向して設けられる拡散板と、前記導光体と前記拡散板との間に設けられる空気層と、を備えてなる。
【０００６】
また、請求項２に記載のように、前記接触面は、平滑に形成されてなる。
【０００７】
また、請求項３に記載のように、前記接触面は、入射側面と対向し、前記光源は、前記入射側面に光を入射してなる。
【発明の効果】
【０００８】
本発明は、境界部分の輝線を緩和して、面発光の均一性を向上させる照明装置を提供することができる。
【発明を実施するための最良の形態】
【０００９】
以下、添付図面に基づいて、本発明を適用した照明装置１の実施形態を説明する。
【００１０】
図１から図３は、本発明の第一の実施形態を示す。図１は、照明装置１の正面図であり、図２は、図１のＡ−Ａ断面図であり、図３は、図１のＢ−Ｂ断面図である。
【００１１】
照明装置１は、図１及び図２に示すように、光源２と、導光体３（第一の導光体３ａ，第二の導光体３ｂ）と、反射層４と、拡散板５と、空気層６と、を筐体７に収納してなり、例えば、透過性パネルからなる広告や看板等のバックライトとして用いられ商品等の陳列棚に設けられる。
【００１２】
光源２は、発光ダイオード（ＬＥＤ）であり、後に詳述する回路基板８に複数実装され、照明装置１の両端部から光を供給するエッジライトとしての役割を果たす。
【００１３】
導光体３（第一の導光体３ａ，第二の導光体３ｂ）は、アクリル樹脂からなる平板部材であり、第一の導光体３ａ，第二の導光体３ｂは、それぞれ入射側面３１と、反射面（背面）３２と、出射面（前面）３３と、非入射面である接触面３４と、を有し、照明装置１の長手方向に第一の導光体３ａと第二の導光体３ｂとを並設してなる。図２において、第一の導光体３ａは、左側に位置し、第二の導光体３ｂは、右側に位置するものとする。入射側面３１は、照明装置１の両端に設けられる光源２と接触して、受光する。反射面３２は、導光体３の背面であり、不等間隔に溝（図示しない）を備える。溝は、入射側面３１から入射した光を導光体３の出射面３３に向けて反射させる。接触面３４は、入射側面３１との対向面であり、入射側面３１から入射し、導光体３内を伝播してきた光を受け反射させる。また、接触面３４は、他方の導光体３の接触面３４と密着して境界部分Ｃを構成する。接触面３４は、平滑な鏡面状に加工され、接触面３４同士が密着された際の境界部分Ｃが光学的に一体部材で構成されている状態に近くなるので輝線自体の発生を抑制することができる。
【００１４】
以上の構成で示すように、同一形状に形成される導光体３が共通の照明領域Ｄに複数連接して設けられることで、照明装置１毎に導光体３を設計したり、大型の導光体３を製造したりするよりも製造コストを削減することができる。なお、導光体３は、平板部材で無くともよく、その形状は任意である。例えば、光源から遠ざかるほど薄くなるようないわゆる楔形状であってもよい。また、導光板３反射面３２には溝に限らず、多面ドット，半球状ドット，印刷ドットやシボ等の加工を施すものであってもよい。
【００１５】
反射層４は、導光体３の入射側面３１，接触面３４及び出射面３３を除いた反射面３２等に反射性に優れたアルミや銀等を蒸着によって板状もしくはシート状に形成され、出射面３３以外の面から光が漏れることを防ぐために、光を反射して導光体３内に戻す。なお、反射層４は、ポリエチレンやポリメチルメタクリレート等からなり、微少なプリズムを有したものを用いてもよい。
【００１６】
拡散板５は、例えば、ポリカーボネイトからなる平板部材で、入射する光を効率よく拡散して上方（前方）に照射する。拡散板５は、導光体３出射面３３に対向するように空気層６を介して配設されてなる。導光体３の接触面３４で反射した光が、一端空気層６を伝播し、空気層６で拡散（散乱）した光が拡散層に入射するので、境界部分Ｃから集中して直接拡散板５に入射する場合に比べ、境界部分Ｃの出射量分布を緩和することが可能となり、境界部分Ｃの輝線を緩和して、面発光の均一性を向上させることができる。
【００１７】
なお、空気層６の照明装置１の厚み方向の幅は、およそ１ｍｍから３ｍｍに設定されるが、照明装置１，導光体３，拡散板５などの形状や大きさ等によって任意に設定されるものである。例えば、本実施形態において、拡散板５は、平板状であるが、シート状でもよく、シート状の拡散板５を用いた場合には、拡散板５の撓み等も考慮して空気層６の幅が設定される。
【００１８】
回路基板８は、絶縁処理を施した熱伝導率の高いアルミ板に銅箔で配線パターンを形成したものである。アルミ板を用いることで、同じく熱伝導率の高い熱伝達部材（図示しない）を介して筐体７に熱を伝達するなどして、光源２から発せられる熱の放熱効果を上げることができる。回路基板８は、導光体３の入射側面３１と平行となるように照明装置１の両端に立てて設けられ、実装される光源２が導光体３の入射側面３１に接触するように位置が設定される。
【００１９】
筐体７は、例えば、アルミ等の熱伝導率の高い材料からなり、厚さ方向の断面が略コの字状に押し出し成型されてなる。筐体７は、光源２，回路基板８，導光体３，拡散板５及び空気層６等の照明装置１の構成部材を収容する。筐体７は、図３に示すように、導光体３（第一の導光体３ａ，第二の導光体３ｂ）と拡散板５との間に空気層６を確保するための溝状の載置部７ａを内壁に備え、光が出射する開口部７ｂを前方に備える。筐体７は、その両端を合成樹脂からなる樹脂キャップ７１によって覆われる。この開口部７ｂと樹脂キャップ７１とによって、拡散板５が露出する照明領域Ｄが設定される。  
【００２０】
載置部７ａは、導光体３（第一の導光体３ａ，第二の導光体３ｂ）と拡散板５とがそれぞれスライドして挿入、配設される。なお、導光体３（第一の導光体３ａ，第二の導光体３ｂ）と拡散板５の配設方法は、任意であり、本実施形態のような載置部７ａでなくともよい。例えば、図４に第二の実施形態として示すように、導光体３出射面３３の周縁に拡散板５を載置するための側壁３５を設け、厚み方向の断面をコの字状にすることで、導光体３（第一の導光体３ａ，第二の導光体３ｂ）と拡散板５との間に空気層６を設けることができる。この場合において、側壁３５の形成箇所は、拡散板５を安定して保持できれば、任意である。
【００２１】
このように、本実施形態における照明装置１１は、共通の照明領域Ｄを第一の導光体３ａと第二の導光体３ｂとで構成する場合に、空気層６を介して拡散板５を設ける構造とすることで、導光体３（第一の導光体３ａ，第二の導光体３ｂ）同士の境界部分Ｃに発生する輝線を緩和して、面発光の均一性を向上させることができる。
【００２２】
また、境界部分Ｃを構成する接触面３４を平滑な面とすることで、輝線自体の発生を抑制することができる。
【００２３】
このように本発明の表示装置１は、導光体３（第一の導光体３ａ，第二の導光体３ｂ）同士の境界部分Ｃで発生する輝線を抑制することができる。
【００２４】
また、請求項２に記載の本発明によると、導光体３（第一の導光体３ａ，第二の導光体３ｂ）同士の境界部分Ｃで輝線自体の発生を抑制することができる。
【００２５】
また、本発明は、請求項３に記載のように、導光体３（第一の導光体３ａ，第二の導光体３ｂ）同士の境界部分Ｃに輝線が発生しやすいエッジライト方式の照明装置１に適用されることで、より効果がある。
【００２６】
なお、本実施形態においては、エッジライト方式の照明装置１であったが、導光体３の背面に光源２を配設する照明装置１であってもよい。
【００２７】
また、本実施形態においては、２個の導光体３を並列して設けるものであったが、導光体３の数及び配設位置は任意である。例えば、図５に第三の実施形態として示すように、同一形状の導光体３を縦に２個、横に２個、合計４個を密着させて設け、照明装置１の両端に光源２が対向するように、１個の導光体３につき３つの光源２を設けるものであってもよい。
【図面の簡単な説明】
【００２８】
【図１】本発明の第一の実施形態を示す照明装置１の正面図。
【図２】同上実施形態を示す図１のＡ−Ａ断面図。
【図３】同上実施形態を示す図１のＢ−Ｂ断面図。
【図４】本発明の第二の実施形態を示す照明装置１の断面図。
【図５】本発明の第三の実施形態を示す筐体を除いた照明装置１の正面図。
【符号の説明】
【００２９】
１  照明装置
２  光源
３  導光体
３１  入射側面
３４  接触面
３ａ  第一の導光体
３ｂ  第二の導光体
４  反射層
５  拡散板
６  空気層
Ｃ  境界部分
Ｄ  照明領域
【図１】
2006235249.tif 000003
【図２】
2006235249.tif 000004
【図３】
2006235249.tif 000005
【図４】
2006235249.tif 000006
【図５】
2006235249.tif 000007